(57)【要約】壁掛形エアコン（１）及びその筺体（１０）であって、筐体（１０）は、送風口（１１０）が設けられているフレーム（１００）と、フレーム（１００）の前側面に取り付けられ、下縁には送風口（１１０）が設置されているパネル（１２０）と、パネル（１２０）の下縁に取り付けられている前装飾ストリップ（１３０）と、それぞれ一対一でフレーム（１００）の左右両端に取り付けられ、前装飾ストリップ（１３０）と互いにつなぎ合わせられている二つの側装飾ストリップ（１４０）を含む。【選択図】図６
2020517897.tif 000002
【特許請求の範囲】
【請求項１】
壁掛形エアコンに使われる筐体であって、
送風口が設けられているフレームと、
前記フレームの前側面に取り付けられ、下縁には前記送風口が設置されているパネルと、
前記パネルの下縁に取り付けられている前装飾ストリップと、
それぞれ一対一で前記フレームの左右両端に取り付けられ、前記前装飾ストリップと互いにつなぎ合わせられている二つの側装飾ストリップを含む筐体。
【請求項２】
前記前装飾ストリップの左右両端面は何れも後に向けて傾くように設置され、前記前装飾ストリップの端面と互いにつなぎ合わせられる側装飾ストリップの端面は前に向けて傾くように設置されている請求項１に記載の筐体。
【請求項３】
前後方向において、前記側装飾ストリップと前記前装飾ストリップは、それらのつなぎ合わせ箇所における厚さが一致する請求項１に記載の筐体。
【請求項４】
前記側装飾ストリップの厚さはそのつなぎ合わせ箇所から離れる方向において逓減するように設定されている請求項３に記載の筐体。
【請求項５】
前記前装飾ストリップは前記パネルに留め付けられている請求項１に記載の筐体。
【請求項６】
前記前装飾ストリップの上面には上に向けて突出するように位置決め部が設けられ、前記パネルの下縁には、前記位置決め部に対応して、前記位置決め部が適合してはまり込む逃げ切欠が設けられている請求項５に記載の筐体。
【請求項７】
前記筐体はさらに、前記フレームの左右両端に取り付けられている端蓋を含み、前記側装飾ストリップは前記端蓋の外側面に設けられている請求項１に記載の筐体。
【請求項８】
前記端蓋の外側面には、前記側装飾ストリップがはまり込む取付溝が設けられ、前記側装飾ストリップは前記取付溝内に留め付けられている請求項７に記載の筐体。
【請求項９】
前記側装飾ストリップは前記端蓋の外側面にＳ形を呈して設置されている請求項７に記載の筐体。
【請求項１０】
前記筐体はさらに、前記フレームの左右両端に取り付けられている端蓋を含み、前記側装飾ストリップは前記端蓋の外側面に設けられている請求項５に記載の筐体。
【請求項１１】
フレーム、パネルの前装飾ストリップ及び二つの側装飾ストリップを含み、前記フレーム前記フレームには送風口が設けられている筐体と、
前記フレームの前側面に取り付けられ、下縁には前記送風口が設置されている前記パネルとを含み、
前記前装飾ストリップは前記パネルの下縁に取り付けられ、
二つの前記側装飾ストリップはそれぞれ一対一で前記フレームの左右両端に取り付けられ、前記前装飾ストリップと前記側装飾ストリップとは互いにつなぎ合わせられている壁掛形エアコン。
【請求項１２】
前記前装飾ストリップの左右両端面は何れも後に向けて傾くように設置され、前記前装飾ストリップの端面と互いにつなぎ合わせられる側装飾ストリップの端面は前に向けて傾くように設置されている請求項１１に記載の壁掛形エアコン。
【請求項１３】
前後方向において、前記側装飾ストリップと前記前装飾ストリップは、それらのつなぎ合わせ箇所における厚さが一致する請求項１１に記載の壁掛形エアコン。
【請求項１４】
前記側装飾ストリップの厚さはそのつなぎ合わせ箇所から離れる方向において逓減するように設定されている請求項１３に記載の壁掛形エアコン。
【請求項１５】
前記前装飾ストリップは前記パネルに留め付けられている請求項１１に記載の壁掛形エアコン。
【請求項１６】
前記筐体はさらに、前記フレームの左右両端に取り付けられている端蓋を含み、前記側装飾ストリップは前記端蓋の外側面に設けられている請求項１１に記載の壁掛形エアコン。
【請求項１７】
前記端蓋の外側面には、前記側装飾ストリップがはまり込む取付溝が設けられ、前記側装飾ストリップは前記取付溝内に留め付けられている請求項１６に記載の壁掛形エアコン。
【請求項１８】
前記側装飾ストリップは前記端蓋の外側面にＳ形を呈して設置されている請求項１６に記載の壁掛形エアコン。
【発明の詳細な説明】
【技術分野】
【０００１】
本願はエアコンの技術分野に関し、特に筐体及び壁掛形エアコンに関する。
【背景技術】
【０００２】
人々の生活レベルの向上につれて、壁掛形エアコンの外観スタイルへの要求もますます高まっている。壁掛形エアコンの外観の美しさを増すために、現在では、多くの壁掛形エアコンの筐体上には、装飾ストリップが設置されている。通常では、装飾ストリップはパネル上にしか設置されておらず、その装飾効果が限られており、壁掛形エアコンの機器全体としての装飾のニーズを満たせない。
【発明の概要】
【発明が解決しようとする課題】
【０００３】
本願の主な目的は、壁掛形エアコンに適用する筐体を提案し、壁掛形エアコンの全体としての外観装飾効果を向上させることである。
【課題を解決するための手段】
【０００４】
上記目的を達成するために、本願が提案する筐体は、
送風口が設けられているフレームと、
前記フレームの外側面に取り付けられ、下辺には前記送風口が設置されているパネルと、
前記パネルの下縁に取り付けられている前装飾ストリップと、
それぞれ一対一で前記フレームの左右両端に取り付けられ、前記前装飾ストリップと互いにつなぎ合わせられている二つの側装飾ストリップを含む。
【０００５】
好ましくは、前記前装飾ストリップの左右両端面は何れも後に向けて傾くように設置され、前記前装飾ストリップの端面と互いにつなぎ合わせられる側装飾ストリップの端面は前に向けて傾くように設置されている。
【０００６】
好ましくは、前後方向において、前記側装飾ストリップと前記前装飾ストリップは、それらのつなぎ合わせ箇所における厚さが一致する。
【０００７】
好ましくは、前記側装飾ストリップの厚さはそのつなぎ合わせ箇所から離れる方向において逓減するように設定されている。
【０００８】
好ましくは、前記前装飾ストリップは前記パネルに留め付けられている。
【０００９】
好ましくは、前記前装飾ストリップの上面には上に向けて突出するように位置決め部が設けられ、前記パネルの下縁には、前記位置決め部に対応して、前記位置決め部が適合してはまり込む逃げ切欠が設けられている。
【００１０】
好ましくは、前記筐体はさらに前記フレームの左右両端に取り付けられている端蓋を含み、前記側装飾ストリップは前記端蓋の外側面に設けられている。
【００１１】
好ましくは、前記端蓋の外側面には、前記側装飾ストリップがはまり込む取付溝が設けられ、前記側装飾ストリップは前記取付溝内に留め付けられている。
【００１２】
好ましくは、前記側装飾ストリップは前記端蓋の外側面にＳ形を呈して設置されている。
【００１３】
本願は更に、筐体を含む壁掛形エアコンを提案し、前記筐体は、
送風口が設けられているフレームと、
前記フレームの外側面に取り付けられ、下縁には前記送風口が設置されているパネルと、
前記パネルの下縁に取り付けられている前装飾ストリップと、
それぞれ一対一で前記フレームの左右両端に取り付けられ、前記前装飾ストリップと互いにつなぎ合わせられている二つの側装飾ストリップを含む。
【００１４】
本願の技術案では、前装飾ストリップがパネルの下縁に、二つの側装飾ストリップがそれぞれ一対一でフレームの左右両端に取り付けられ、前装飾ストリップが前記側装飾ストリップと互いにつなぎ合わされている案を採用する。これにより、前装飾ストリップはパネルの装飾効果、即ち筐体の前側の装飾効果を著しく向上させることができ、二つの側装飾ストリップは筐体の左右両側の装飾効果を著しく向上させることができる。それと同時に、前装飾ストリップと側装飾ストリップの間が互いにつなぎ合わされていることで、前装飾ストリップと側装飾ストリップが外観上連続して設置されているように見えるようにし、さらに壁掛形エアコンの立体的な機器全体の装飾効果をもたらす。これにより、壁掛形エアコンの全体としての外観装飾効果を著しく改善し、製品の市場競争力を有効に向上させる。
【図面の簡単な説明】
【００１５】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【００１６】
【図１】本願の壁掛形エアコンの一実施例の構造模式図である。
【図２】図１における壁掛形エアコンの部分構造模式図である。
【図３】図２のＡでの部分拡大図である。
【図４】図２における壁掛形エアコンの分解図である。
【図５】図２における壁掛形エアコンの前装飾ストリップ及び側装飾ストリップのつなぎ合わせ模式図である。
【図６】図５のＢにおける部分拡大図である。
【００１７】
添付図面を参照して、実施例と組み合わせて本願目的の実現、機能的特徴及び長所をさらに説明する。
【発明を実施するための形態】
【００１８】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００１９】
なお、もし本願実施例で方向性指示（例えば上、下、左、右、前、後．．．）に関わる場合、当該方向性指示はある特定の姿勢（添付図面に示す）における各部品間の相対的な位置関係、運動状況等を説明するためだけに用いられ、もし当該特定の姿勢が変わる場合、当該方向性指示もそれに従って変わる。
【００２０】
また、本願実施例において「第一」、「第二」等の説明に関わる場合、当該「第一」、「第二」等の説明は、説明のために利用されるだけであって、その相対的な重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案は互いに組み合わせることができる。ただし、当業者が実現できることをその基礎としなければならない。技術案の組み合わせに矛盾が生じるか、実現できない場合には、このような技術案の組み合わせが存在しない、且つ本願が請求する保護範囲にないと理解すべきである。
【００２１】
本願では壁掛形エアコンに適用する筐体を提案する。
【００２２】
図１から図６を参照し、本願の一実施例において、当該筐体１０は、
送風口１１０が設けられているフレーム１００と、
前記フレーム１００の前側面に取り付けられ、下縁には前記送風口１１０が設置されているパネル１２０と、
前記パネル１２０の下縁に取り付けられている前装飾ストリップ１３０と、
それぞれ前記フレーム１００の左右両端に取り付けられ、前記前装飾ストリップ１３０と互いにつなぎ合わせられている二つの側装飾ストリップ１４０を含む。
【００２３】
壁掛形エアコン１については、その筐体１０はフレーム１００とパネル１２０を含み、フレーム１００の外側面にはパネル１２０が取り付けられ、フレーム１００の下部であって且つその前側に近い位置には送風口１１０が設置されている。この時、送風口１１０はパネル１２０の下縁に位置する。即ち、パネル１２０の下縁を送風口１１０の一側辺とする。
【００２４】
壁掛形エアコン１の機器全体としての外観の美しさを改善するために、本実施例では、当該筐体１０はさらに、前装飾ストリップ１３０と二つの側装飾ストリップ１４０を含む。その中で、前装飾ストリップ１３０はパネル１２０の下縁に、二つの側装飾ストリップ１４０はそれぞれ一対一でフレーム１００の左右両端に取り付けられている。前装飾ストリップ１３０は前記側装飾ストリップ１４０と互いにつなぎ合わされている。前装飾ストリップ１３０はパネル１２０の装飾効果、即ち筐体１０の前側の装飾効果を著しく向上させることができ、二つの側装飾ストリップ１４０は筐体１０の左右両側の装飾効果を著しく向上させることができることは、理解できるであろう。それと同時に、前装飾ストリップ１３０と側装飾ストリップ１４０の間が互いにつなぎ合わされていることで、前装飾ストリップ１３０と側装飾ストリップ１４０が外観上連続して設置されているように見えるようにし、さらに壁掛形エアコン１の立体的な機器全体の装飾効果をもたらす。これにより、壁掛形エアコン１の全体としての外観装飾効果を著しく改善し、製品の市場競争力を有効に向上させる。
【００２５】
なお、前装飾ストリップ１３０は溶接、接着等の方式でパネル１２０上に固定されてもよく、或いは、前装飾ストリップ１３０は留め具、ネジ等の取り外し可能な方式でパネル１２０上に接続されてもよい。同様に、ここでは逐一贅言しないが、側装飾ストリップ１４０も複数の方法でフレーム１００の左右両端に固定できる。
【００２６】
本願の技術案では、前装飾ストリップ１３０がパネル１２０の下縁に、二つの側装飾ストリップ１４０がそれぞれ一対一でフレーム１００の左右両端に取り付けられ、前装飾ストリップ１３０が前記側装飾ストリップ１４０と互いにつなぎ合わされている案を採用する。これにより、前装飾ストリップ１３０はパネル１２０の装飾効果、即ち筐体１０の前側の装飾効果を著しく向上させることができ、二つの側装飾ストリップ１４０は筐体１０の左右両側の装飾効果を著しく向上させることができる。それと同時に、前装飾ストリップ１３０と側装飾ストリップ１４０の間が互いにつなぎ合わされていることで、前装飾ストリップ１３０と側装飾ストリップ１４０が外観上連続して設置されているように見えるようにし、さらに壁掛形エアコン１の立体的な機器全体の装飾効果をもたらす。これにより、壁掛形エアコン１の全体としての外観装飾効果を著しく改善し、製品の市場競争力を有効に向上させる。
【００２７】
さらに、本実施例では、前装飾ストリップ１３０の左右両端面は何れも後に向けて傾くように設置され、前装飾ストリップ１３０の端面と互いにつなぎ合わせられる側装飾ストリップ１４０の端面は前に向けて傾くように設置されている。前装飾ストリップ１３０は予めパネル上１２０上に取り付けられ、側装飾ストリップ１４０は予めフレーム１００上に取り付けられていることは、理解できるであろう。パネル１２０をフレーム１００上に取り付ける際、前装飾ストリップ１３０と側装飾ストリップ１４０のつなぎ合わせを容易にするため、前装飾ストリップ１３０と側装飾ストリップ１４０とのつなぎ合わせ面は斜面を呈して設置されており、且つ後から前へと向かう方向において、つなぎ合わせ面は側装飾ストリップ１４０に近い方向へと傾いている。パネル１２０は前後方向に沿ってフレーム１００上に取り付けられる。この時、上記つなぎ合わせ面は斜面であるため、一方では、前装飾ストリップ１３０と側装飾ストリップ１４０がパネル１２０のフレーム１００への取り付け時に邪魔となり、更にパネル１２０とフレーム１００の取付を難しくしてしまうのを避けるように、前装飾ストリップ１３０と側装飾ストリップ１４０のつなぎ合わせを容易にでき、もう一方では、ユーザの視界では、つなぎ合わせ面が斜面であるため、ユーザから見れば、前装飾ストリップ１３０と側装飾ストリップ１４０との間の組立隙間がより小さく、更に壁掛形エアコンの外観の美しさを向上させる。
【００２８】
側装飾ストリップ１４０と前装飾ストリップ１３０のつなぎ合わせ箇所での装飾効果の一致性を保証するために、本実施例では、側装飾ストリップ１４０と前装飾ストリップ１３０のつなぎ合わせ箇所における厚さが一致することにより、更に側装飾ストリップ１４０と前装飾ストリップ１３０との間の装飾効果の移り変わりがスムーズでないことによる視覚的不調和を避ける。一部の好ましい実施例において、側装飾ストリップ１４０の厚さはそのつなぎ合わせ箇所から離れる方向において逓減するように設定されている。
【００２９】
さらに、本実施例では、前装飾ストリップ１３０は取り外し可能にパネル１２０上に取り付けられており、好ましくは、前装飾ストリップ１３０の取り外しと取付を容易にするため、前装飾ストリップ１３０はパネル１２０に留め付けられている。
【００３０】
前装飾ストリップ１３０とパネル１２０の取付を容易にするために、上記の実施例において、前装飾ストリップ１３０の上面には上に向けて突出するように位置決め部１３１が設けられ、パネル１２０の下縁には、位置決め部１３１に対応して位置決め部１３１が適合してはまり込む逃げ切欠１２１が設けられている。こうして、前装飾ストリップ１３０をパネル１２０に取り付ける際、先ずは位置決め部１３１を逃げ切欠１２１にはめ込むことで、前装飾ストリップ１３０と逃げ切欠１２１の仮位置決めを実現させ、そして前装飾ストリップ１３０とパネル１２０に対して固定的な取付を行う。こうすることで、前装飾ストリップ１３０が取付の位置ずれを起こすことを有効的に避けることができ、更に前装飾ストリップ１３０とパネル１２０の取付をより容易にして、前装飾ストリップ１３０の取付効率を向上させる。
【００３１】
本実施例では、位置決め部１３１と逃げ切欠１２１の組立を容易にするために、位置決め部１２１は装飾ストリップ１３０の長さ方向に沿って伸び、しかも、位置決め部１３１の突出方向において、位置決め部の伸びる長さは逓減するように設定されており、つまり、位置決め部１３１はその突出方向において次第に縮小するように設定されている。こうして、位置決め部１３１は台形を呈して設置されており、しかも位置決め部１３１の突起する端は比較的小さく、更に逃げ切欠１２１との嵌合をより容易にする。
【００３２】
更に強調しておくべきなのは、装飾ストリップ１３０の取付の際、装飾ストリップ１３０の途中部分から取付を始める場合、装飾ストリップ１３０の長さが比較的大きいため、組立の位置ずれを起こしやすい。この欠点を避けるために、上記実施例において、位置決め部１３１は装飾ストリップ１３０の端部に近いように設置されており、この場合、装飾ストリップ１３０を取り付ける時、先ずは装飾ストリップ１３０の端部位置から位置決めして取り付けることは、作業者の組立の習慣により適しており、装飾ストリップ１３０の取付にはより有利である。それとともに、位置決め部１３１が装飾ストリップ１３１の端部に近いように設置されているので、比較的高いポカヨケ効果を発揮でき、そして組立の位置ずれが生じる確率を下げることもできる。
【００３３】
更に、上記筐体１０はさらにフレーム１００の左右両端に取り付けられている端蓋１５０を含み、上記側装飾ストリップ１４０は端蓋１５０の外側面に設けられている。しかし、端蓋１５０は二つ設けられており、二つの端蓋１５０はそれぞれ一対一でフレーム１００の左右両端に取り付けられている。この場合、端蓋１５０は通常では射出成形部品であり、側装飾ストリップ１４０は端蓋１５０と一体として射出成形されてもよく、或いは、側装飾ストリップ１４０は取り外し可能に端蓋１５０の外側面に取り付けられてもよい。
【００３４】
好ましい態様としては、端蓋１５０の外側面には、側装飾ストリップ１４０がはまり込む取付溝が設けられている。側装飾ストリップ１４０は取付溝内に留め付けられていることにより、更に端蓋１５０の製造難易度を下げると同時に、側装飾ストリップ１４０と端蓋１５０との取付及び取り外しにも便利である。
【００３５】
さらに、本実施例では、上記側装飾ストリップ１４０は端蓋１５０の外側面にＳ形を呈して設置されていることにより、側装飾ストリップ１４０の装飾効果を更に向上させ、壁掛形エアコン１の機器全体としての外観の美しさを改善する。
【００３６】
図１と図２を参照し、本願は更に、筐体１０を含む壁掛形エアコン１を提案した。当該筐体１０の具体的な構造については、前記実施例を参照されたい。本壁掛形エアコン１は上記全ての実施例の全ての技術案を採用したので、少なくとも上記実施例の技術案がもたらす全ての有益効果を有し、ここでは逐一贅言しない。
【００３７】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００３８】
１  壁掛形エアコン
１０  筐体
１００  フレーム
１１０  送風口
１２０  パネル
１２１  逃げ切欠
１３０  前装飾ストリップ
１３１  位置決め部
１４０  側装飾ストリップ
１５０  端蓋
【図１】
2020517897.tif 000003
【図２】
2020517897.tif 000004
【図３】
2020517897.tif 000005
【図４】
2020517897.tif 000006
【図５】
2020517897.tif 000007
【図６】
2020517897.tif 000008
【国際調査報告】
2020517897.tif 000009
2020517897.tif 000010
2020517897.tif 000011
2020517897.tif 000012